(57)【要約】【課題】第２部位を引き出す際の操作性を向上できる家具を提供する。【解決手段】家具Ｆは、第１側面部１２を有する第１部位１と、第１部位１に部分的に重なる収納位置と、第１部位１に対して重なる範囲が収納位置に比べて少ない展開位置との間で移動可能となるように第１部位１に対して摺動可能に接続され、第１側面部１２に対向する第２側面部２２を有する第２部位２と、第１部位１に載置される第１クッション部３と、展開位置にある第２部位２に載置可能な第２クッション部４とを含み、第２側面部２２は、第１側面部１２に対向する側とは逆側に、収納位置から展開位置への引き出し操作用の取手部２４を有する。【選択図】図２
2020110487.tif 000002
【特許請求の範囲】
【請求項１】
第１側面部を有する第１部位と、
前記第１部位に部分的に重なる収納位置と、前記第１部位に対して重なる範囲が前記収納位置に比べて少ない展開位置との間で移動可能となるように前記第１部位に対して摺動可能に接続され、前記第１側面部に対向する第２側面部を有する第２部位と、
前記第１部位に載置される第１クッション部と、
前記展開位置にある前記第２部位に載置可能な第２クッション部とを含み、
前記第２側面部は、前記第１側面部に対向する側とは逆側に、前記収納位置から前記展開位置への引き出し操作用の取手部を有する、家具。
【請求項２】
前記取手部は、埋め込み式で前記第２側面部に設けられる、請求項１に記載の家具。
【請求項３】
前記第２側面部は、前記展開位置にある前記第２部位に載置された状態の前記第２クッション部の上面よりも上方まで延在し、
前記取手部は、前記展開位置にある前記第２部位に載置された状態の前記第２クッション部の上面よりも高い位置に設けられる、請求項２に記載の家具。
【請求項４】
前記第２部位の最下部は、前記収納位置にあるときは、当該家具の設置用の床面よりも上方に位置する、請求項１〜３のうちのいずれか１項に記載の家具。
【請求項５】
前記第２側面部は、前記第１側面部よりも剛性が高い、請求項１〜４のうちのいずれか１項に記載の家具。
【請求項６】
前記第１側面部の高さは、前記第１クッション部の上面の高さ以上である、請求項１〜５のうちのいずれか１項に記載の家具。
【請求項７】
前記第２クッション部は、１つ以上の背凭れクッションからなり、
前記１つ以上の背凭れクッションの縦方向の寸法の合計は、前記収納位置と前記展開位置との間での前記第２部位の移動量に略等しい、請求項１〜６のうちのいずれか１項に記載の家具。
【発明の詳細な説明】
【技術分野】
【０００１】
本開示は、ソファやベッドとして使用可能な家具に関する。
【背景技術】
【０００２】
上部に固定クッション要素を設けてなる中空体状の外ケースと、この外ケースの中空部に対して相対的に出し入れ自在な内ケースとを具備してなり、内ケースを、引出位置でその上部に外ケースの固定クッション要素に略面一に連続する可動クッション要素を配置してベッド面を形成し、挿入位置でその可動クッション要素を外ケースと干渉しない位置に撤去して外ケース側をベンチとして利用し得る家具が知られている（例えば、特許文献１参照）。
【先行技術文献】
【特許文献】
【０００３】
【特許文献１】特開２００１−８７０８１号公報
【発明の概要】
【発明が解決しようとする課題】
【０００４】
しかしながら、特許文献１に示される家具では、ベンチ形態からベッド形態へと変換するために内ケースを引き出す際に、内ケースの切欠きが利用されうるが、このような切欠きでは引き出し操作が良好でない。このため、特許文献１に示される家具では、ベンチ形態及びベッド形態間を相互に変換するためのユーザの作業の負荷が比較的高くなり、結果として、ユーザはベンチ形態又はベッド形態の一方の形態でしか利用しない傾向となりやすい。
【０００５】
そこで、１つの側面では、本発明は、第２部位を引き出す際の操作性を向上できる家具を提供することを目的とする。
【課題を解決するための手段】
【０００６】
１つの側面では、
第１側面部を有する第１部位と、
前記第１部位に部分的に重なる収納位置と、前記第１部位に対して重なる範囲が前記収納位置に比べて少ない展開位置との間で移動可能となるように前記第１部位に対して摺動可能に接続され、前記第１側面部に対向する第２側面部を有する第２部位と、
前記第１部位に載置される第１クッション部と、
前記展開位置にある前記第２部位に載置可能な第２クッション部とを含み、
前記第２側面部は、前記第１側面部に対向する側とは逆側に、前記収納位置から前記展開位置への引き出し操作用の取手部を有する、家具が提供される。
【発明の効果】
【０００７】
１つの側面では、本発明によれば、第２部位を引き出す際の操作性を向上できる家具を提供することが可能となる。
【図面の簡単な説明】
【０００８】
【図１】本発明の一実施形態に係る家具のソファ形態を示す正面図である。
【図２】本発明の一実施形態に係る家具のソファ形態を示す側面図である。
【図３】本発明の一実施形態に係る家具のベッド形態を示す正面図である。
【図４】本発明の一実施形態に係る家具のベッド形態を示す平面図である。
【図５】本発明の一実施形態に係る家具のソファ形態を示す要部拡大正面図である。
【図６】本発明の一実施形態に係る家具の第１側面部の内部構造を示す外側面図である。
【図７】本発明の一実施形態に係る家具の第１側面部の内部構造を示す内側面図である。
【図８】本発明の一実施形態に係る家具の第２側面部の内部構造を示す外側面図である。
【図９】本発明の一実施形態に係る家具の第２側面部の内部構造を示す内側面図である。
【発明を実施するための形態】
【０００９】
以下、添付図面を参照しながら各実施形態について詳細に説明する。なお、添付図面では、見易さのために、複数存在する同一属性の部位には、一部のみしか参照符号が付されていない場合がある。
【００１０】
本発明の一実施形態に係る家具Ｆは、図１及び図２に示すソファ形態と、図３及び図４に示すベッド形態と、に切り換えて使用可能であり、第１部位１、第２部位２、第１クッション部３、第２クッション部４及び付属クッション部５を備える。なお、後述する第１部位１及び第２部位２は、家具Ｆの主要部を構成するものとする。
【００１１】
なお、以下の説明において、前後、左右、上下は、ソファ形態の家具Ｆに座った人から見た方向に従って記載する。また、本実施形態の家具Ｆは、ソファ形態からベッド形態に切り換えるとき、第２部位２を左方向に展開（移動）させるが、第２部位２を右方向に展開させるようにしてもよい。
【００１２】
［第１部位］
図１〜図４に示すように、第１部位１は、第１本体部１１、第１側面部１２、背面部１３及び第１脚部１４を備える。
【００１３】
（第１本体部）
第１本体部１１は、上面に第１クッション部３が載置されることで、ソファ形態において座部として機能するとともに、ベッド形態において床部の一部（頭側）として機能する部分である。
【００１４】
第１本体部１１の上面の下方には、第２部位２の後述する第２本体部２１を収納する第２本体収納部１１１が形成されている。第１本体部１１は、左側端面（展開側端面）に収納口１１２を有しており、該収納口１１２を介して第２本体収納部１１１に第２部位２の第２本体部２１が挿入される。
【００１５】
第２本体収納部１１１には、第２部位２の第２本体部２１を左右方向に摺動可能に支持するとともに、左方向（展開方向）の摺動限界位置（展開位置）を規定するストッパ手段（不図示）を備えたスライド機構９０が設けられる。
【００１６】
なお、本実施形態の第２本体収納部１１１は、上方、下方、前方、後方及び右側方が覆われた中空部として第１本体部１１に形成されているが、第１本体部１１の上面と重なるように第２部位２の第２本体部２１を収納可能であれば、第２本体収納部１１１の下方、前方、後方又は右側方を覆わない構造としてもよい。
【００１７】
（第１側面部）
第１側面部１２は、第１本体部１１の右端部に一体的に接続され、第１本体部１１の上面よりも上方に延在する。第１側面部１２の高さは、第１本体部１１の上面に載置された第１クッション部３の上面の高さ以上であり、ソファ形態において右側の肘掛け部として機能する。また、第１側面部１２の少なくとも上部には、ウレタンなどのクッション材が充填されており、ソファ形態において右側の肘掛け部として良好に機能するだけでなく、ベッド形態において枕としても利用することができる。
【００１８】
（背面部）
背面部１３は、第１本体部１１の上面後端部及び第１側面部１２の内側面後端部に一体的に接続され、第１本体部１１の上面から上方に延在する。背面部１３は、前面側に第２クッション部４が載置されることで、ソファ形態において第２クッション部４を背凭れ部として機能させる。
【００１９】
（第１脚部）
第１脚部１４は、第１部位１の下面の４隅から下方に延在しており、４つの第１脚部１４の下端部が床面に当接することで、第１脚部１４を介して第１部位１（家具Ｆ）が床面上に設置される。
【００２０】
図５に示すように、第１脚部１４は、第１部位１の下面の４隅から下方に延在する基部１４１と、基部１４１の下端面に設けられ、第１脚部１４の長さ調節を可能にするアジャスタ１４２と、を備える。アジャスタ１４２自体の高さＨ１は、第１脚部１４の長さ調節に応じて、Ｈ１ｍａｘ〜Ｈ１ｍｉｎの範囲で変化する。
【００２１】
［第２部位］
図１〜図４に示すように、第２部位２は、第２本体部２１、第２側面部２２及び第２脚部２３を備える。
【００２２】
（第２本体部）
第２本体部２１は、第１部位１の第１本体部１１に形成される第２本体収納部１１１に対し、少なくとも一部が第１本体部１１の上面と重なる状態で収納されており、第１部位１の第１本体部１１に全体的に収納される収納位置（ソファ形態の位置）と、第１部位１の第１本体部１１から一部が突出する展開位置（ベッド形態の位置）との間で移動可能となるように第１本体部１１に摺動可能に接続される。
【００２３】
言い換えると、第２部位２は、第１部位１に対して部分的に重なる収納位置と、第１部位１に対して重なる範囲が収納位置に比べて少ない展開位置との間で移動可能となるように第１部位１に対して摺動可能に接続されている。そして、展開位置にある第２部位２の第２本体部２１は、上面に第２クッション部４が載置されることで、ベッド形態において床部の一部（足側）として機能する。
【００２４】
（第２側面部）
第２側面部２２は、第１側面部１２と対向するように第２本体部２１の左端部に一体的に接続され、第２本体部２１の上面よりも上方に延在する。第２側面部２２の高さは、第１本体部１１の上面に載置された第１クッション部３の上面の高さ以上であり、ソファ形態において左側の肘掛け部として機能する。また、第２側面部２２の少なくとも上部には、ウレタンなどのクッション材が充填されており、ソファ形態において左側の肘掛け部として良好に機能する。なお、第２側面部２２は、展開位置にある第２部位２の第２本体部２１に載置された状態の第２クッション部４の上面よりも上方まで延在している。
【００２５】
第２側面部２２は、第１側面部１２に対向する側とは逆側になる外側面部に、第２部位２を収納位置から展開位置への引き出し操作する際に持ち手となる取手部２４を有する。取手部２４は、第２側面部２２の外側面に前後方向に所定の間隔をあけて２つ設けられており、２つの取手部２４を左右の手で持つことにより、第２部位２を収納位置から展開位置へ容易に引き出し操作することができる。
【００２６】
本実施形態の取手部２４は、第２側面部２２の外側面から突出しない凹部として形成されている。具体的には、凹部２５１を有する埋め込み式の取手部材２５を第２側面部２２の外側面に埋め込むことにより、第２側面部２２の外側面に取手部２４が形成される。
【００２７】
このような取手部２４によれば、第２側面部２２の外側面から突出せず、邪魔にならないので、なにかがぶつかることを防止できる。また、第２側面部２２に別部材の取手部材２５を埋め込むことにより、取手部２４を目立たせ、引き出し操作の際に利用できる点を明示的にユーザに知らせることができる。
なお、取手部２４の機能は、別部材を用いることなく、第２側面部２２に形成した窪み（凹部）により実現してもよい。また、取手部２４は、１つでもよいし、パイプのような外部に突出する形態でもよい。
【００２８】
また、本実施形態の取手部２４は、第２側面部２２において、展開位置にある第２本体部２１に載置された状態の第２クッション部４の上面よりも高い位置に設けられる。このような取手部２４によれば、ユーザは、屈まずに第２部位２を引き出し操作できるので、第２部位２を引き出し操作する際の操作性をさらに向上させることができる。ただし、変形例では、取手部２４は、第２側面部２２において、展開位置にある第２本体部２１に載置された状態の第２クッション部４の上面よりも低い位置に設けられてもよい。
【００２９】
（第２脚部）
第２脚部２３は、第２側面部２２の下面の前端部及び後端部から下方に延在している。第２部位２の最下部である第２脚部２３の下端は、第２部位２が収納位置にあるときは、当該家具Ｆが設置される床面よりも上方に位置する。
【００３０】
具体的に説明すると、本実施形態の第２脚部２３は、図５に示すように、第１部位１の下面と略同じ高さである第２側面部２２の下面から下方に延在する基部２３１と、基部２３１の下端面に設けられるゴム部材２３２と、を備える。基部２３１は、第１脚部１４の基部１４１と同一部材であり、ゴム部材２３２の厚さ寸法Ｈ２は、アジャスタ１４２の最小高さＨｍｉｎよりも薄い。これにより、第２部位２が収納位置にあるとき、第２脚部２３の下端を床面よりも上方に位置させることができる。
【００３１】
このような第２脚部２３によれば、第２部位２を収納位置から展開位置へ引き出す際、床面との摩擦がないため、操作性が良好であり、また、床面や第２脚部２３の摩耗等も防止できる。
【００３２】
第２脚部２３の下端は、第２部位２が展開位置にあるときは床面に当接する。例えば、前述したスライド機構９０のガタの範囲で展開位置にある第２部位２の上下動を許容し、展開位置では、収納位置で浮いていた第２脚部２３の下端を第２部位２の自重によって床面に着地させる。このような第２脚部２３によれば、ベッドとして使用する際のガタツキ（床面と第２脚部２３との間のガタツキ）を防止できる。なお、第２脚部２３の下端に設けられる部材は、ゴム部材２３２に限定されず、アジャスタ、ローラ（キャスタ）等であってもよい。
【００３３】
［第１クッション部］
第１クッション部３は、ウレタンなどのクッション材が充填された略直方体のクッションであり、第１部位１の第１本体部１１の上面に載置されることで、ソファ形態において座部として機能するとともに、ベッド形態において床部の一部（頭側）として機能する。
【００３４】
［第２クッション部］
第２クッション部４は、ウレタンなどのクッション材が充填された略直方体のクッションであり、背面部１３の前面側に載置されることで、ソファ形態において背凭れ部として機能するとともに、展開位置の第２本体部２１の上面に載置されることで、ベッド形態において床部の一部（足側）として機能する。
【００３５】
図１、図３及び図４に示すように、本実施形態の第２クッション部４は、同一形状の２つのクッション４１で構成されており、各クッション４１は、ソファ形態において背凭れ部として機能する際の上下方向（縦方向）の寸法をＨ、左右方向の寸法をＷ、前後方向の寸法をＤ、とした場合、２つのクッション４１の寸法Ｈの合計は、収納位置と展開位置との間での第２部位２の移動量に略等しく、各クッション４１の寸法Ｗは、第１クッション部３の前後寸法と略等しく、各クッション４１の寸法Ｄは、第１クッション部３の上面と展開位置にある第２本体部２１の上面との高低差に略等しい。
【００３６】
このような第２クッション部４によれば、図３及び図４に示すように、展開位置にある第２本体部２１の上面に２つのクッション４１を並べて載置することで、ベッド形態において床部の一部（足側）として良好に機能させることができる。また、２つのクッション４１の寸法Ｈの合計を、収納位置と展開位置との間での第２部位２の移動量よりも若干長くすれば、展開位置にある第２本体部２１の上面に、第１本体部１１の左端面と第２側面部２２の内側面との間で圧縮された状態で２つのクッション４１を並べて載置することができるので、ベッド形態における第２クッション部４の位置ずれを防止できる。
【００３７】
なお、本実施形態では、第２クッション部４は、ベッド形態において、図４に示すように、ソファ形態において背凭れ部として機能する際の左右方向が、ベッドの幅方向に対応する向きとなるように、載置される。ただし、変形例では、第２クッション部４は、ベッド形態において、ソファ形態において背凭れ部として機能する際の左右方向が、ベッドの長手方向に対応する向きとなるように、載置されてもよい。この場合、クッション４１の寸法Ｗを、収納位置と展開位置との間での第２部位２の移動量よりも若干長くすれば、展開位置にある第２本体部２１の上面に、第１本体部１１の左端面と第２側面部２２の内側面との間で圧縮された状態で２つのクッション４１を並べて載置することができるので、ベッド形態における第２クッション部４の位置ずれを防止できる。また、当該変形例において、２つのクッション４１の寸法Ｈの合計を、第１クッション部３の前後寸法と略等しく設定することで、第１クッション部３と２つのクッション４１との間でのベッド幅の連続性を維持してもよい。
【００３８】
［付属クッション部］
付属クッション部５は、ウレタンなどのクッション材が充填された枕形状のクッションであり、ソファ形態においては家具Ｆの任意の位置に載置して使用できる。また、付属クッション部５は、図３に示すように、ベッド形態において第１クッション部３と第１側面部１２とに当接するように配置すると、第１側面部１２の上面と連続的に枕として機能させることができる。このような付属クッション部５によれば、ベッド形態において枕として利用できるだけでなく、第１側面部１２の上面と連続的に枕として機能させることで、長身のユーザでも寝ることが可能なベッド形態を実現できる。すなわち、第１側面部１２が枕としても機能できるので、第１側面部１２が枕として機能しない場合（すなわち第１側面部１２がヘッドボードとして機能する場合）に比べて、第１側面部１２の長さ分（左右方向の長さ分）だけベッドとして機能する長さを長くすることができる。ただし、変形例では、第１側面部１２は、ヘッドボードとして機能してもよい。
【００３９】
［第１側面部及び第２側面部の内部構造］
つぎに、第１側面部１２及び第２側面部２２の内部構造について、図６〜図９を参照して説明する。
【００４０】
図６及び図７に示すように、第１側面部１２は、内部に第１木枠１２１を備える。第１木枠１２１は、上下方向に沿う複数の縦枠部材１２２ａ、及び前後方向に沿う複数の横枠部材１２２ｂを組み合わせて構成される第１木枠ベース１２２と、第１木枠ベース１２２の内側面部に設けられ、第１本体部１１及び背面部１３の右端部が固定される第１固定板１２３と、を一体的に接続して構成される。
【００４１】
図８及び図９に示すように、第２側面部２２は、内部に第２木枠２２１を備える。第２木枠２２１は、上下方向に沿う複数の縦枠部材２２２ａ、及び前後方向に沿う複数の横枠部材２２２ｂを組み合わせて構成される第２木枠ベース２２２と、第２木枠ベース２２２の内側面部に設けられ、第２本体部２１の左端部が固定される第２固定板２２３と、第２木枠ベース２２２の外側面部に設けられ、取手部材２５を支持する取手固定板２２４と、を一体的に接続して構成される。このような井桁構造により第２側面部２２の剛性を効率的に高めることができる。
【００４２】
第１木枠ベース１２２と第２木枠ベース２２２は、略同等の剛性を有し、第１固定板１２３が接続された第１木枠ベース１２２と、第２固定板２２３が接続された第２木枠ベース２２２も、略同等の剛性を有する。したがって、さらに取手固定板２２４を備える第２木枠ベース２２２は、第１木枠１２１よりも剛性が高い。
【００４３】
このような第２木枠２２１を備える第２側面部２２によれば、第１側面部１２よりも高い剛性を有するので、第２部位２の引き出し操作に際し、変形したり破損したりすることなく、良好な操作性を維持できる。
【００４４】
［スライド機構］
つぎに、スライド機構９０について説明する。
【００４５】
スライド機構９０は、図４に示すように、前後方向において対で設けられる。各スライド機構９０は、テレスコープ型の伸長機構であり、径方向で隣接する部材同士が互いに対して摺動する３本の筒状の部材を含む。従って、各スライド機構９０は、２段階で伸長可能である。なお、変形例では、各スライド機構９０は、３段階以上で伸長可能であってもよいし、１段階だけ伸長可能なレール式の態様であってもよい。各スライド機構９０は、左右方向に延在し、一端が第１部位１の左右方向の中央部付近で第１部位１の下部に固定され、他端が第２部位２の下方を通り第２側面部２２に固定される。スライド機構９０は、第２側面部２２における第２固定板２２３に固定される。これにより、スライド機構９０を、第２側面部２２における比較的強度の高い部位に固定でき、第２側面部２２の耐久性を高めるとともに、スライド動作の安定性を高めることができる。
【００４６】
なお、変形例では、第２部位２を第１部位１に対して移動可能とするための機構として、テレスコープ型の伸長機構であるスライド機構９０に代えて、アーム式の機構のような他の機構が利用されてもよい。
【００４７】
以上、各実施形態について詳述したが、特定の実施形態に限定されるものではなく、特許請求の範囲に記載された範囲内において、種々の変形及び変更が可能である。また、前述した実施形態の構成要素を全部又は複数を組み合わせることも可能である。
【００４８】
なお、以上の実施形態に関し、さらに以下の付記を開示する。
【００４９】
（付記１）
第１側面部を有する第１部位と、
前記第１部位に部分的に重なる収納位置と、前記第１部位に対して重なる範囲が前記収納位置に比べて少ない展開位置との間で移動可能となるように前記第１部位に対して摺動可能に接続され、前記第１側面部に対向する第２側面部を有する第２部位と、
前記第１部位に載置される第１クッション部と、
前記展開位置にある前記第２部位に載置可能な第２クッション部とを含み、
前記第２側面部は、前記第１側面部に対向する側とは逆側に、前記収納位置から前記展開位置への引き出し操作用の取手部を有する、家具。
【００５０】
（付記２）
前記取手部は、埋め込み式で前記第２側面部に設けられる、付記１に記載の家具。
【００５１】
（付記３）
前記第２側面部は、前記展開位置にある前記第２部位に載置された状態の前記第２クッション部の上面よりも上方まで延在し、
前記取手部は、前記展開位置にある前記第２部位に載置された状態の前記第２クッション部の上面よりも高い位置に設けられる、付記２に記載の家具。
【００５２】
（付記４）
前記第２部位の最下部は、前記収納位置にあるときは、当該家具の設置用の床面よりも上方に位置する、付記１〜３のうちのいずれか１つに記載の家具。
【００５３】
（付記４−１）
前記第２部位の最下部は、前記展開位置にあるときは、前記床面に当接する、付記４に記載の家具。
【００５４】
（付記５）
前記第２側面部は、前記第１側面部よりも剛性が高い、付記１〜４のうちのいずれか１つに記載の家具。
【００５５】
（付記６）
前記第１側面部の高さは、前記第１クッション部の上面の高さ以上である、付記１〜５のうちのいずれか１つに記載の家具。
【００５６】
（付記７）
前記第２クッション部は、１つ以上の背凭れクッションからなり、
前記１つ以上の背凭れクッションの縦方向の寸法の合計は、前記収納位置と前記展開位置との間での前記第２部位の移動量に略等しい、付記１〜６のうちのいずれか１つに記載の家具。
【００５７】
（付記８）
付属クッション部を更に含み、
前記付属クッション部は、前記第１クッション部と前記第１側面部とに当接するように配置すると、前記第１側面部の上面と連続的に、枕として機能できる、付記１〜７のうちのいずれか１つに記載の家具。
【００５８】
（付記９）
前記第１側面部の上部には、ウレタンが充填される、付記１〜８のうちのいずれか１つに記載の家具。
【符号の説明】
【００５９】
Ｆ  家具
１  第１部位
１１  第１本体部
１１１  第２本体収納部
１１２  収納口
１２  第１側面部
１２１  第１木枠
１２２  第１木枠ベース
１２２ａ  縦枠部材
１２２ｂ  横枠部材
１２３  第１固定板
１３  背面部
１４  第１脚部
１４１  基部
１４２  アジャスタ
２  第２部位
２１  第２本体部
２２  第２側面部
２２１  第２木枠
２２２  第２木枠ベース
２２２ａ  縦枠部材
２２２ｂ  横枠部材
２２３  第２固定板
２２４  取手固定板
２３  第２脚部
２３１  基部
２３２  ゴム部材
２４  取手部
２５  取手部材
２５１  凹部
３  第１クッション部
４  第２クッション部
４１  クッション
５  付属クッション部
【図１】
2020110487.tif 000003
【図２】
2020110487.tif 000004
【図３】
2020110487.tif 000005
【図４】
2020110487.tif 000006
【図５】
2020110487.tif 000007
【図６】
2020110487.tif 000008
【図７】
2020110487.tif 000009
【図８】
2020110487.tif 000010
【図９】
2020110487.tif 000011